【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
着用可能な医療装置コントローラであって、
事象の発生時にアラームがトリガされることを示し、適合経路とアラームとの間の関連付けを含むアラームプロファイルを記憶するメモリと、
メモリに結合される少なくとも１つのプロセッサと、を備え、前記プロセッサは、
事象の発生を検出し、
アラームの第１のインスタンスを発行し、
アラームの第１のインスタンスに対する予め定められた応答が目標応答時間内に受信されなかったと判断し、
目標応答時間内に予め定められた応答が受信されなかったと判断したことに応じて、適合経路に従ってアラームの少なくとも１つの特徴を適合させ、
アラームの第２のインスタンスを発行するよう構成され、アラームの第２のインスタンスは少なくとも１つの適合された特徴を有する、着用可能な医療装置コントローラ。
【請求項２】
前記メモリは、複数の適合経路とアラームとの間の複数の関連付けを記憶し、
前記複数の関連付けは前記関連付けを含み、前記複数の適合経路は前記適合経路を含み、および前記複数の適合経路の各適合経路は、少なくとも１つの応答パターンに対処する、請求項１に記載の着用可能な医療装置コントローラ。
【請求項３】
前記少なくとも１つのプロセッサは、
現象を検出し、
現象を検出したことに応じて、前記アラームの前記第１インスタンスの発行に先立って、前記適合経路に従ってアラームの１つ以上の特徴を適合させることが可能である、請求項１に記載の着用可能な医療装置コントローラ。
【請求項４】
前記少なくとも１つのプロセッサは、現象を示す独立変数の値と少なくとも１つの応答パターンとの間の相関関係を判断し、前記相関関係が予め定められたしきい値を超えるアラームプロファイルを生成することが可能である、請求項１に記載の着用可能な医療装置コントローラ。
【請求項５】
前記少なくとも１つのプロセッサは、少なくとも部分的にアラームの強さを高めることにより、アラームの少なくとも１つの特徴を適合させることが可能である、請求項１に記載の着用可能な医療装置コントローラ。
【請求項６】
前記少なくとも１つのプロセッサは、少なくとも部分的にアラームの伝路を変更することにより、アラームの少なくとも１つの特徴を適合させることが可能である、請求項１に記載の着用可能な医療装置コントローラ。
【請求項７】
前記少なくとも１つのプロセッサは、個人用電子装置にアラームを伝送するために、少なくとも部分的にアラームの伝路を変更することにより、アラームの少なくとも１つの特徴を適合させることが可能である、請求項１に記載の着用可能な医療装置コントローラ。
【請求項８】
前記少なくとも１つのプロセッサは、抑制要因を検出し、および、
前記抑制要因の検出に応じて、且つアラームの前記第１インスタンスの発行に先立って、適合経路に従ってアラームの１つ以上の特徴を適合させることが可能である、請求項１に記載の着用可能な医療装置コントローラ。
【請求項９】
前記少なくとも１つのプロセッサとデータ通信するインターフェイスをさらに備え、前記少なくとも１つのプロセッサは、
インターフェイスを介して新しいアラームプロファイルを受信し、および、
前記新しいアラームプロファイルをメモリに記憶することが可能である、請求項１に記載の着用可能な医療装置コントローラ。
【請求項１０】
前記少なくとも１つのプロセッサとデータ通信するインターフェイスをさらに備え、
前記少なくとも１つのプロセッサは、
前記インターフェイスを介して新しいアラームプロファイルを受信し、
前記新しいアラームプロファイルを前記メモリに記憶し、
前記インターフェイスを介して新しい適合経路を受信し、および、
前記新しい適合経路を前記メモリに記憶することが可能である、請求項１に記載の着用可能な医療装置コントローラ。
【請求項１１】
前記事象は、前記着用可能な医療装置を組み入れた着用可能な医療装置コントローラおよび当該着用可能な医療装置を着用する患者の少なくとも一方に関係する、請求項１に記載の着用可能な医療装置コントローラ。
【請求項１２】
前記事象は、前記着用可能な医療装置を組込んでいる着用可能な医療装置コントローラに関係し、当該事象は、間違って配置された電極、不適切に取付けられた電極、および前記着用可能な医療装置内に含まれるバッテリが置換えられてからの時間のしきい値量の推移のうちの少なくとも１つを含む、請求項１に記載の着用可能な医療装置コントローラ。
【請求項１３】
前記少なくとも１つの特徴は、指定受信者、目標応答、目標応答時間、内容、および発行率のうちの少なくとも１つを含む、請求項１に記載の着用可能な医療装置コントローラ。
【請求項１４】
前記少なくとも１つのプロセッサは、少なくとも部分的に、異なる感覚的出力のためのアラームの伝路を変更することにより、アラームの少なくとも１つの特徴を適合させることが可能である、請求項１に記載の着用可能な医療装置コントローラ。
【請求項１５】
前記少なくとも１つのコントローラは、少なくとも部分的に、前記着用可能な医療用装置とは異なるコンピュータシステムに前記第１インスタンスを伝送することにより、アラームの前記第１インスタンスを発行することが可能である、請求項１に記載の着用可能な医療装置コントローラ。
【請求項１６】
前記コンピュータシステムは、個人用電子装置、ホーム基地局、病床のラジオ、テレビ、自動車、監視システム、および緊急応答システムのうちの少なくとも１つを含む、請求項１５に記載の着用可能な医療装置コントローラ。
【請求項１７】
前記個人用電子装置は、眼鏡、電話、タブレット、ペン、個人用娯楽装置、ヘッドホン、スポーツ機器、個人用電子装置、およびイヤホンを含む、請求項１６に記載の着用可能な医療装置コントローラ。
【請求項１８】
メモリを含む着用可能な医療装置によって発行されたアラームを適合させる方法であって、前記方法は、
事象の発生時にアラームがトリガされることを示し、適合経路とアラームとの間の関連付けを含むアラームプロファイルをメモリに記憶するステップと、
事象の発生を検出するステップと、
アラームの第１のインスタンスを発行するステップと、
アラームの第１のインスタンスに対する予め定められた応答が目標応答時間内に受信されなかったと判断するステップと、
目標応答時間内に予め定められた応答が受信されなかったと判断したことに応じて、適合経路に従ってアラームの少なくとも１つの特徴を適合させるステップと、
アラームの第２のインスタンスを発行するステップと、を備え、
アラームの第２のインスタンスは少なくとも１つの適合された特徴を有する、方法。
【請求項１９】
現象と少なくも１つの応答パターンとの間の相関関係を判断するステップ、および、
前記少なくとも１つの応答パターンに対処するよう行われた適合を反映させる適合経路を記憶するステップと、をさらに備える、請求項１８に記載の方法。
【請求項２０】
現象を検出するステップと、
現象を検出したことに応じて、且つアラームの前記第１インスタンスの発行に先立って、適合経路に従ってアラームの１つ以上の特徴を適合させるステップと、をさらに備える、請求項１８に記載の方法。
【請求項２１】
現象を示す独立変数の値と少なくとも１つの応答パターンとの間の相関関係を判断するステップと、
相関関係が予め定められたしきい値を超えるアラームプロファイルを生成するステップと、をさらに備える、請求項１８に記載の方法。
【請求項２２】
アラームの少なくとも１つの特徴を適合させるステップは、アラームの強さを高めるステップを含む、請求項１８に記載の方法。
【請求項２３】
アラームの少なくとも１つの特徴を適合させるステップは、アラームの伝路を変更するステップを含む、請求項１８に記載の方法。
【請求項２４】
アラームの少なくとも１つの特徴を適合させるステップは、個人用電子装置にアラームを伝送するために、アラームの伝路を変更するステップを含む、請求項１８に記載の方法。
【請求項２５】
少なくとも１つのプロセッサにより実行可能な一連の命令を非一時的に記憶するコンピュータ読み取り可能な記録媒体であって、
前記一連の命令は、着用可能な医療装置により発行されるアラームを適合させるよう少なくとも１つのプロセッサに命令し、前記一連の命令は、
事象の発生時にアラームがトリガされることを示し、且つ適合経路とアラームとの間の関連付けを含むアラームプロファイルを、メモリに記憶させ、
事象の発生を検出させ、
アラームの第１のインスタンスを発行させ、
アラームの第１のインスタンスに対する予め定められた応答が目標応答時間内に受信されなかったと判断させ、
目標応答時間内に予め定められた応答が受信されなかったと判断したことに応じて、適合経路に従ってアラームの少なくとも１つの特徴を適合させ、および、
アラームの第２のインスタンスを発行させる命令を、含み、
前記アラームの第２のインスタンスは、少なくとも１つの適合された特徴を有する、非一時的なコンピュータ読み取り可能な記録媒体。
【手続補正２】
【補正対象書類名】明細書
【補正対象項目名】発明の名称
【補正方法】変更
【補正の内容】
【発明の名称】着用可能な医療装置においてアラームを適合させるためのコントローラおよび方法